(57)【要約】【課題】完全な目隠し性を確保することができるとともに、通風性も十分に確保することができ、かつ外観上もユニークで、経済性や製造工程上も有利な柵の構造を提供する。【解決手段】板部材２１，２１，３１，３１が所定面角度で列状に並置された柵部材２０，３０が柵の面方向１０Ａに２枚重設された柵１０であって、前記一の柵部材２０を構成する板部材２１，２１と前記他の柵部材３０を構成する板部材３１，３１とによって柵の面方向１０Ａに対して傾斜状の通風路Ｂが形成されているとともに、柵の面方向１０Ａすべてに対して透視性が遮断される位置関係で重合配置されている。【選択図】図２
2007291673.tif 000002
【特許請求の範囲】
【請求項１】
板部材が所定面角度で列状に並置された柵部材が柵の面方向に２枚重設された柵であって、前記一の柵部材を構成する板部材と前記他の柵部材を構成する板部材とによって柵の面方向に対して傾斜状の通風路が形成されているとともに、柵の面方向すべてに対して透視性が遮断される位置関係で重合配置されていることを特徴とする柵の構造。
【請求項２】
前記一の柵部材を構成する板部材と前記他の柵部材を構成する板部材とが互いにハ字状となり、かつ各板部材が柵面の直交線に対して概ね４５度の面角度で並置されている請求項１に記載の柵構造。
【請求項３】
前記一の柵部材と他の柵部材とは同一構成を有し、各柵部材を構成する板部材が互いにハ字状となるように対称的に重設されている請求項２に記載の柵構造。
【請求項４】
柵の枠部材において前記一の柵部材に対し前記他の柵部材が柵の面方向に移動可能に取り付けられていて、両柵部材を構成する板部材によって柵の面方向すべてに対して透視性が遮断される位置とそうでない位置との間を変化させることができるものである請求項１ないし３のいずれか１項に記載の柵構造。
【請求項５】
前記柵の枠部材に柵部材の位置調整のための調節部材が設けられている請求項４に記載の柵の構造。
【発明の詳細な説明】
【技術分野】
【０００１】
この発明は、塀や垣根等の構築用に用いられる柵（フェンス）の構造に関する。
【背景技術】
【０００２】
屋外の庭園の塀や垣根に各種の柵（フェンス）が用いられている。近年、外観性のよいものが強く求められる傾向にあるが、目隠し性や通風性はフェンスとして不可欠の基本的機能である。しかるに、この外観性や目隠し性、通風性の要求は、しばしば相反することもあり、すべての要請を同時に満たすことは容易ではない。
【０００３】
この課題を達成するものとして、例えば、縦断面Ｈ字型の横枠材と半透明の目隠し板とを通風用の隙間を介して配設してなるフェンスが提案されている。しかしながら、上の構造では、風の流れが目隠し板によって一旦遮断され、横枠材のＨ字溝の隙間によって通風性が得られのであるが、風の流通性がよくないことは多言を要しない。風の流通性を高めるために横枠材と目隠し板との隙間を大きくすると、目隠し性能が低下する。また、横枠材と目隠し板との複合材による構成は、製造上のコストや工程上の不利益もある。（例えば特許文献１参照）
【特許文献１】特開２００４-２０４４９９公報
【発明の開示】
【発明が解決しようとする課題】
【０００４】
この発明は、完全な目隠し性を確保することができるとともに、通風性も十分に確保することができ、かつ外観上もユニークで、経済性や製造工程上も有利な柵の構造を提供するものである。
【課題を解決するための手段】
【０００５】
すなわち、請求項１の発明は、板部材が所定面角度で列状に並置された柵部材が柵の面方向に２枚重設された柵であって、前記一の柵部材を構成する板部材と前記他の柵部材を構成する板部材とによって柵の面方向に対して傾斜状の通風路が形成されているとともに、柵の面方向すべてに対して透視性が遮断される位置関係で重合配置されていることを特徴とする柵の構造に係る。
【０００６】
また、請求項２の発明は、前記一の柵部材を構成する板部材と前記他の柵部材を構成する板部材とが互いにハ字状となり、かつ各板部材が柵面の直交線に対して概ね４５度の面角度で並置されている請求項１に記載の柵構造に係る。
【０００７】
さらに、請求項３の発明は、前記一の柵部材と他の柵部材とは同一構成を有し、各柵部材を構成する板部材が互いにハ字状となるように対称的に重設されている請求項２に記載の柵構造に係る。
【０００８】
請求項４の発明は、柵の枠部材において前記一の柵部材に対し前記他の柵部材が柵の面方向に移動可能に取り付けられていて、両柵部材を構成する板部材によって柵の面方向すべてに対して透視性が遮断される位置とそうでない位置との間を変化させることができるものである請求項１ないし３のいずれか１項に記載の柵構造に係る。
【０００９】
また、請求項５の発明は、前記柵の枠部材に柵部材の位置調整のための調節部材が設けられている請求項４に記載の柵の構造に係る。
【発明の効果】
【００１０】
請求項１の発明によれば、板部材が所定面角度で列状に並置された柵部材が柵の面方向に２枚重設された柵であって、前記一の柵部材を構成する板部材と前記他の柵部材を構成する板部材とによって柵の面方向に対して傾斜状の通風路が形成されているとともに、柵の面方向すべてに対して透視性が遮断される位置関係で重合配置されているものであるから、通風性の確保と柵としての完全な目隠し性が確保される。また、この柵構造は、板部材が所定面角度で列状に並置された柵部材が柵の面方向に２枚重設されてなるので、ユニークな外観性が得られる一方において、経済性や製造工程上の有利性がある。
【００１１】
請求項２の発明によれば、前記一の柵部材を構成する板部材と前記他の柵部材を構成する板部材とが互いにハ字状となり、かつ各板部材が柵面の直交線に対して概ね４５度の面角度で並置されているので、柵の面方向のいずれからの通風性も良好で、外観性も安定感があり、経済的にも製造工程上も有利である。
【００１２】
請求項３の発明によれば、前記一の柵部材と他の柵部材とは同一構成を有し、各柵部材を構成する板部材が互いにハ字状となるように対称的に重設されているから、製造上の有利性、経済性が大きく、ユニークな外観性が得られる。
【００１３】
さらに、請求項４の発明によれば、柵の枠部材において前記一の柵部材に対し前記他の柵部材が柵の面方向に移動可能に取り付けられていて、両柵部材を構成する板部材によって柵の面方向すべてに対して透視性が遮断される位置とそうでない位置との間を変化させることができるので、上で述べた利点、効果に加え、さらに設置上の大きな有利性をもつ。
【００１４】
また、請求項５の発明によれば、前記柵の枠部材に柵部材の位置調整のための調節部材が設けられているので、簡単かつ容易に位置調整ができ、現場施工が有利である。
【発明を実施するための最良の形態】
【００１５】
以下添付の図面に従ってこの発明を詳細に説明する。
図１はこの発明の柵の構造を示す正面図、図２は柵の構造の一実施例を示す一部を切欠いた斜視図、図３はその要部の拡大断面図、図４は柵部材の位置関係を示す断面図、図５は枠部材への調節部材の取り付け構造を示す一部を切欠いた斜視図である。
【００１６】
図１ないし図４に図示したように、この発明の柵１０の構造は、一の柵部材２０と他の柵部材３０とが柵１０の面方向１０Ａに２枚重設された柵である。各柵部材２０，３０は、板部材２１，２１、３１，３１が所定面角度で列状に並置されている。そして、両柵部材２０，３０は、これらの板部材２１，２１、３１，３１によって、柵の面方向１０Ａに対して傾斜状の通風路Ｂが形成されているとともに、柵の面方向すべてに対して透視性Ａ１，Ａ２が遮断される位置関係で重合配置されている。なお、図１において、符号１１Ａ，１２Ａは枠部材１１，１２と一体に配された筒状の枠部材、符号１３は柱部材である。図２において、符号２３，２４，３３，３４は柵部材２０，３０を構成する端枠部材である。
【００１７】
柵部材２０，３０を構成する板部材２１，３１は、木、プラスチック、金属など、柵（フェンス）を構成するものであれば材質は問わない。また、柵１０、柵部材２０，３０を構成する他の部材は従来公知のもので、特に限定されるものでない。
【００１８】
柵部材２０、３０は、図３からもよりよく理解されるように、板部材２１，２１，３１，３１が所定面角度で列状に並置され、柵部材２０，３０が柵の面方向１０Ａに２枚重設されることによって、柵１０の面方向１０Ａに対して傾斜状の通風路Ｂが形成されている。この傾斜状の通風路Ｂは、直交状の通風路に比して、通風効果に優れかつ通風の効率が高いものである。
【００１９】
さらに、図３の符号Ａ１とＡ２は、柵１０の表裏面方向からの視認直線を示すものであるが、板部材２１，２１，３１，３１によって、柵の面方向１０Ａすべてに対して透視性を遮断することができる。同時に、符号Ｂ１，Ｂ２の通風線で示したように、前記傾斜状の通風路Ｂが効果的に形成されて、柵の垂直方向１０Ｓの風を効果的に流通させることができる。このような構成とすることで、通風性の確保と柵としての完全な目隠し性が確保される。
【００２０】
柵部材に列状に並置される板部材の面角度は、上に述べた透視遮断性と通風性を考慮して、さらには重量や経済性、製造効率等を勘案して決定されるが、請求項２の発明として規定するように、一の柵部材２０を構成する板部材２１と他の柵部材３０を構成する板部材３１とが互いにハ字状となり、かつ各板部材２１，３１が柵面の直交線Ｌに対する面角度αが概ね４５度となるように並置されることが好ましい（図３参照）。このように配置することによって、板部材２１，２１，３１，３１によって柵の面方向１０Ａすべてに対して透視性が遮断される位置関係を簡単に作出することができるとともに、柵の面方向１０Ａのいずれからの通風性も良好となる。また、外観性に安定感があり、経済的にも製造工程上も有利である。
【００２１】
さらに、本実施例では、図２ないし図４に示し、請求項３の発明として規定するように、前記一の柵部材２０と他の柵部材３０とは同一構成を有し、各柵部材２０，３０を構成する板部材２１，３１が互いにハ字状となるように対称的に重設されている。このような構成とすることで、柵部材２０，３０を別々に製造する必要がなく、さらに製造上の有利性、経済性が大きい。
【００２２】
また、図４及び図５に示し、請求項４の発明として規定するように、柵の枠部材１１において前記一の柵部材２０に対し前記他の柵部材３０が柵の面方向１０Ａに移動可能に取り付けられていて、両柵部材２０，３０を構成する板部材２１，２１，３１，３１によって柵の面方向１０Ａすべてに対して透視性が遮断される位置（図４（ａ）参照）とそうでない位置（図４（ｂ）参照）との間を変化させることができる構造とすることが好ましい。
【００２３】
図４において、（ａ）は柵の面方向１０Ａのすべてに対して、透視性が遮断される柵部材２０，３０の位置関係を示し、（ｂ）は柵の面方向１０Ａに対して、透視性が遮断されていない位置関係を示す。図４（ａ）における柵部材２０を、同図（ｂ）のように柵の面方向である矢印ｃ方向へわずかに移動させることで、透視性及び通風性を調整することが可能であり、設置上の有利性が大きい。
【００２４】
このとき、柵の枠部材１１には、図４及び図５に示し、請求項５の発明として規定するように、柵部材の位置調整のための調節部材４０が設けられていることが好ましい。実施例では、図５に示すように、枠部材１１に形成された孔部４１にストッパ部材Ｓ１，Ｓ２が配設されて柵部材２０の位置が調整される。
【００２５】
ストッパ部材Ｓ１は、柵部材を構成する端枠部材等に当接して柵部材２０の位置を規制できるように、凹溝部１３の孔部４１に配設される。なお、他側のストッパ部材Ｓ２は、孔部４１に埋設されてもよい。柵部材２０及び図示しない他の柵部材が枠部材１１の凹溝部１３内に配置され、枠部材１１に設けられた調節部材４０により柵部材の位置が規制されて重設された後、柵が組み付けられる。このように構成することで、簡単かつ容易に柵部材の位置調整ができ、現場施工において有利である。また、図示しないが、柵を設置後、柵の使用中にも柵部材が移動可能なように、着脱自在なストッパ部材としてもよい。
【００２６】
以上のように、この発明の構造によれば、通風性と目隠し性という相反する機能を十分確保しながら、従来にないユニークな柵の外観が得られる。加えて、簡単な構造で、素材上も有利で、経済性に優れ、製造工程上の有利性も大きい。
【図面の簡単な説明】
【００２７】
【図１】この発明の柵の構造の正面図である。
【図２】柵の構造の一実施例を示す一部を切欠いた斜視図である。
【図３】図２の要部の拡大断面図である。
【図４】柵部材の位置関係を示す断面図である。
【図５】枠部材への調節部材の取り付け構造を示す一部を切欠いた斜視図である。
【符号の説明】
【００２８】
１０  柵
１０Ａ  面方向
１１，１２  枠部材
２０，３０  柵部材
２１，３１  板部材
４０  調節部材
Ａ１，Ａ２  視認直線
Ｂ  通風路
【図１】
2007291673.tif 000003
【図２】
2007291673.tif 000004
【図３】
2007291673.tif 000005
【図４】
2007291673.tif 000006
【図５】
2007291673.tif 000007